(57)【要約】【課題】照明器具を支柱に取り付け易く、且つ照明器具を支柱から取り外し易い係留器具を提供する。【解決手段】係留器具１０は、固定ボックス６０の取付面６６の挿入口６５に挿入する直方体状の板部材１１と、リング形状の一方の端部１２１と他方の端部１２２とを有するメインワイヤー１２と、リング形状の一方の端部１３１と他方の端部１３２とを有するサブワイヤー１３と、を備える。板部材１１の中央部には開口部１１Ａが形成され、端部には開口部１１Ｂが形成されている。メインワイヤー１２の一方の端部１２１は板部材１１の開口部１１Ａにはめられて板部材１１と連結され、他方の端部１２２は固定金具９５に連結される。サブワイヤー１３の一方の端部１３１は板部材１１の端部に形成された開口部１１Ｂにはめられて板部材１１と連結され、他方の端部１３２はメインワイヤー１２にはめられてメインワイヤー１２と連結される。【選択図】図３
2011103254.tif 000002
【特許請求の範囲】
【請求項１】
照明器具を支柱に繋ぐ係留器具において、
前記支柱に設けられたボックス又は前記支柱に形成された挿入口に挿入する面状の板部材と、
前記板部材の中央部に形成された第一の開口部にはめるリング形状の一方の端部と前記照明器具に連結する他方の端部とを有するメインワイヤーと、
前記板部材の端部に連結する一方の端部と、前記メインワイヤーの中央部に連結する他方の端部とを有するサブワイヤーと、を備えたことを特徴とする係留器具。
【請求項２】
前記板部材は、前記端部に第二の開口部が形成された形状であり、
前記サブワイヤーの前記一方の端部は、リング形状であり、前記第二の開口部にはめられたことを特徴とする請求項１に記載の係留器具。
【請求項３】
前記サブワイヤーの前記他方の端部は、リング形状であり、前記メインワイヤーにはめられて前記メインワイヤーに対しスライド自在であることを特徴とする請求項１又は２に記載の係留器具。
【請求項４】
前記挿入口の形状は、円形または方形であり、
前記板部材は、長手方向の長さが前記挿入口の径または辺より長く、且つ短手方向の長さが前記挿入口の径または辺より短い形状に形成されたことを特徴とする請求項１乃至３の何れかに記載の係留器具。
【請求項５】
前記サブワイヤーの材質は、ステンレス鋼であることを特徴とする請求項１乃至４の何れかに記載の係留器具。
【発明の詳細な説明】
【技術分野】
【０００１】
この発明は、ＬＥＤ照明器具などの照明器具を支柱に繋ぐ係留器具に関する。
【背景技術】
【０００２】
従来から、地中に埋設された電力線より分岐される電線を支柱内を通して上部のボックスに立ち上げ、引込配線をする支柱がある。当該支柱は、例えば、公園や広場等に設置されているポールである。従来から、当該支柱にはＬＥＤ照明器具などの照明器具が係留器具を介して取り付けられ、該照明器具が放つ光で支柱周辺を明るく照らしていた。
【０００３】
図１は、ポールに取り付けられるＬＥＤ照明器具の正面図であり、図２は、従来の係留器具を用いてＬＥＤ照明器具をポールに取り付ける施工工事の様子を示す斜視図である。
【０００４】
ＬＥＤ照明器具１００は、複数のＬＥＤユニットＬ１〜Ｌ７と、角筒状のアーム部９０とフランジ板９６からなる支持部とを備える。アーム部９０は、複数のＬＥＤユニットＬ１〜Ｌ７のそれぞれとポールＰ内の電線とを接続するためのリード線と係留器具２００のワイヤー２０１とを内部に通す。そして、フランジ板９６は、固定ボックス６０の取付面６６に接合される板であり、係留器具２００のワイヤー２０１や該リード線を通す四角形の開口部が中央に形成された形状となっている。
【０００５】
一方、ＬＥＤ照明器具１００が取り付けられるポールＰは、地中に埋設された電力線より分岐される電線をポールＰ内を通して上部のボックス６０に立ち上げ、引込配線をしたポールである。当該ポールＰの上部側面には、円状に開口した挿入口６５を取付面６６に形成した固定ボックス６０が設けられている。
【０００６】
そして、従来の係留器具２００は、Ｌ字状金具２０２からなる一方の端部と、ＬＥＤ照明器具１００に連結する他方の端部とを有するワイヤー２０１を備える。この係留器具２００は、ＬＥＤ照明器具１００と固定ボックス６０との接合部分が経年劣化や施工工事のミスなどによってＬＥＤ照明器具１００と固定ボックス６０とが外れても、ＬＥＤ照明器具１００を吊るしてＬＥＤ照明器具１００が地面に落下するのを防ぐための器具である。
【０００７】
ここで、ＬＥＤ照明器具１００をポールＰに取り付ける施工工事を行うとき、施工業者は、まず、係留器具２００のワイヤー２０１の他方の端部が連結されたＬＥＤ照明器具１００を用意する。そして、施工業者は、フランジ板９６が固定ボックス６０の取付面６６に対向する高さへＬＥＤ照明器具１００を持ち上げて、固定ボックス６０の取付面６６の裏面に予め溶接された固定金具２０３に、ワイヤー２０１のＬ字状金具２０２をネジ止めする。これにより、ＬＥＤ照明器具１００は係留器具２００を介してポールＰに繋がれる。その後、施工業者Ｃは、ＬＥＤ照明器具１００を係留器具２００によりポールＰに係留した状態で、リード線を固定ボックス６０内の電線に接続する。最後に、施工業者は、フランジ板９６に設けられた４つのネジ穴９１、９２、９３、９４を固定ボックス６０の取付面６６に設けられた４つのネジ穴６１、６２、６３、６４に位置合わせして４箇所をネジ止めし、ＬＥＤ照明器具１００をポールＰに固定する。
以上のようにして施工業者は施工工事を行っていた。
なお、特許文献１において、ポール本体の側面に開口部が形成されたポールが提案されている。
【先行技術文献】
【特許文献】
【０００８】
【特許文献１】特開２００３−２９９２３４公報
【発明の概要】
【発明が解決しようとする課題】
【０００９】
しかしながら、ポール等の支柱に繋ぐ屋外タイプの照明器具は、屋内で使用する照明器具よりもランプの個数を増やす等して明るさを強めたりするため、その重量が屋内タイプの照明器具より重いものとなっている。
そのため、ＬＥＤ照明器具１００を持ち上げて、固定金具２０３にワイヤー２０１のＬ字状金具２０２をネジ止めする等の時間のかかる施工作業が必要な従来の係留器具２００では、施工業者が大変な労力を要するという問題があった。
また、逆に、ＬＥＤ照明器具１００をポールＰから取り外す時も、ＬＥＤ照明器具１００を持ち上げて、固定金具２０３とワイヤー２０１のＬ字状金具２０２とのネジを外す等の時間のかかる施工作業が必要となる。そのため、従来の係留器具２００では、ＬＥＤ照明器具１００をポールＰから取り外す施工工事においても、施工業者が大変な労力を要するという問題があった。
【００１０】
この発明の目的は、照明器具を支柱に取り付け易く、且つ照明器具を支柱から取り外し易い係留器具を提供することにある。
【課題を解決するための手段】
【００１１】
（１）照明器具を支柱に繋ぐ係留器具において、
前記支柱に設けられたボックス又は前記支柱に形成された挿入口に挿入する面状の板部材と、
前記板部材の中央部に形成された第一の開口部にはめるリング形状の一方の端部と前記照明器具に連結する他方の端部とを有するメインワイヤーと、
前記板部材の端部に連結する一方の端部と、前記メインワイヤーの中央部に連結する他方の端部とを有するサブワイヤーと、を備えたことを特徴とする。
【００１２】
この構成では、照明器具を支柱に取り付ける第１の施工工事の場面と、照明器具を支柱から取り外す第２の施工工事の場面とに分かれる。
【００１３】
照明器具を支柱に取り付ける第１の施工工事を行うとき、施工業者は、まず、係留器具のメインワイヤーの他方の端部を照明器具に連結する。次に、施工業者は、板部材が挿入口に挿入可能な高さへ照明器具を持ち上げて、板部材の長手方向を挿入口に対して垂直に向けた状態で板部材を挿入口に挿入する。そして、施工業者は、サブワイヤーを挿入口から遠ざかる方向へ引っ張り、板部材の面をボックス又は支柱の挿入口の形成された取付面の裏面に接触させる。これにより、照明器具は係留器具を介して支柱に繋がれる。最後に、施工業者は、照明器具を支柱に固定する。
以上のようにして施工業者は第１の施工工事を行う。そのため、この構成における係留器具を用いれば、施工業者は、照明器具を持ち上げて板部材を挿入口に挿入し、サブワイヤーを引っ張るだけで済む。そのため、施工業者は、第１の施工工事において、照明器具を容易に支柱に取り付けることができる。
【００１４】
次に、照明器具を支柱から取り外す第２の施工工事を行うとき、施工業者は、照明器具を持ち上げた状態で、メインワイヤーを挿入口に近づく方向へ押す。続いて、施工業者は、サブワイヤーを挿入口から遠ざかる方向へ引っ張って板部材の長手方向を挿入口に対して垂直となるように倒す。そして、施工業者は、板部材の長手方向を挿入口に対して垂直に向けた状態で板部材を挿入口から取り出す。この結果、係留器具が支柱から外れ、照明器具が支柱から完全に外れる。
以上のようにして施工業者は第２の施工工事を行う。そのため、この構成における係留器具を用いれば、施工業者は、照明器具を持ち上げた状態でメインワイヤーを挿入口に近づく方向へ押し、サブワイヤーを挿入口から遠ざかる方向へ引っ張って板部材を挿入口から取り出すだけで済む。そのため、施工業者は、第２の施工工事においても、照明器具を容易に支柱から取り外すことができる。
【００１５】
以上より、施工業者は、照明器具を支柱に容易に取り付けることができるとともに、照明器具を支柱から容易に取り外すことができる。
【００１６】
（２）前記板部材は、前記端部に第二の開口部が形成された形状であり、
前記サブワイヤーの前記一方の端部は、リング形状であり、前記第二の開口部にはめられたことを特徴とする。
【００１７】
この構成では、板部材の端部をサブワイヤーの一方の端部に対して動かすことができる。そのため、施工業者が板部材の向きを変え易い。
従って、施工業者は、第１の施工工事において照明器具を支柱に一層容易に取り付けることができるとともに、第２の施工工事において照明器具を支柱から一層容易に取り外すことができる。
【００１８】
（３）前記サブワイヤーの前記他方の端部は、リング形状であり、前記メインワイヤーにはめられて前記メインワイヤーに対しスライド自在であることを特徴とする。
【００１９】
この構成では、サブワイヤーの他方の端部をメインワイヤーに対して自在にスライドさせることができる。そのため、施工業者が板部材の向きを変え易い。
従って、施工業者は、第１の施工工事において照明器具を支柱に一層容易に取り付けることができるとともに、第２の施工工事において照明器具を支柱から一層容易に取り外すことができる。
【００２０】
（４）前記挿入口の形状は、円形または方形であり、
前記板部材は、長手方向の長さが前記挿入口の径または辺より長く、且つ短手方向の長さが前記挿入口の径または辺より短い形状に形成されたことを特徴とする。
【００２１】
この構成において、板部材を挿入口に挿入する時は、挿入口の径または辺より短い板部材の短手方向の辺を挿入口に向けて挿入し、板部材を挿入口に挿入した後は挿入口の径または辺より長い板部材の長手方向の面をボックス又は支柱の取付面の裏面に接触させている。このため、係留器具は、板部材を挿入し易く、且つ板部材が挿入口から自然に外れ難い構成となっている。
よって、施工業者は第１の施工工事において照明器具を容易に支柱に取り付けることができ、且つ照明器具とボックス又は支柱との接合部分が経年劣化などによって照明器具とボックス又は支柱とが外れても、照明器具が地面に落下するのを確実に防ぐことができる。
【００２２】
（５）前記サブワイヤーの材質は、ステンレス鋼であることを特徴とする。
【発明の効果】
【００２３】
この発明によれば、照明器具を支柱に容易に取り付けることができるとともに、照明器具を支柱から容易に取り外すことができる。
【図面の簡単な説明】
【００２４】
【図１】ポールに取り付けられるＬＥＤ照明器具の正面図である。
【図２】従来の係留器具を用いてＬＥＤ照明器具をポールに取り付ける施工作業の様子を示す斜視図である。
【図３】本発明の実施形態に係る係留器具を用いてポールに取り付けられるＬＥＤ照明器具の正面図である。
【図４】本発明の実施形態に係る係留器具を用いてポールに取り付けられるＬＥＤ照明器具内の配線図である。
【図５】本発明の実施形態に係る係留器具の正面図である。
【図６】本発明の実施形態に係る係留器具をポールの固定ボックスに挿入する場面の様子を示す斜視図である。
【図７】本発明の実施形態に係る係留器具をポールの固定ボックスに挿入した場面の様子を示す斜視図である。
【図８】本発明の実施形態に係る係留器具をポールの固定ボックスから取り出す場面の様子を示す概念図である。
【図９】本発明の実施形態に係る係留器具の板部材の一方の端部をポールの固定ボックスから取り出した場面の様子を示す概念図である。
【発明を実施するための形態】
【００２５】
以下、本発明の実施形態に係る係留器具について説明する。
【００２６】
図３は、本発明の実施形態に係る係留器具を用いてポールに取り付けられるＬＥＤ照明器具の正面図である。図４は、上記ＬＥＤ照明器具内の配線図である。図５は、本発明の実施形態に係る係留器具の正面図である。図６は、本発明の実施形態に係る係留器具をポールの固定ボックスに挿入する場面の様子を示す斜視図であり、図７は、本発明の実施形態に係る係留器具をポールの固定ボックスに挿入した場面の様子を示す斜視図である。この実施形態では、ＬＥＤ照明器具１００が係留器具１０を介してポールＰの固定ボックス６０に取り付けられ、該ＬＥＤ照明器具１００が放つ光でポールＰ周辺を明るく照らす。この係留器具１０は、ＬＥＤ照明器具１００と固定ボックス６０との接合部分が経年劣化や施工工事のミスなどによってＬＥＤ照明器具１００と固定ボックス６０とが外れても、ＬＥＤ照明器具１００を吊るしてＬＥＤ照明器具１００が地面に落下するのを防ぐための器具である。
【００２７】
図３〜図５に示すように、ＬＥＤ照明器具１００は、複数のＬＥＤユニットＬ１〜Ｌ７と、複数のＬＥＤユニットＬ１〜Ｌ７のそれぞれに接続するリード線３０と、角筒状のアーム部９０とフランジ板９６からなる支持部と、器具本体の内部にネジ止めされた固定金具９５と、を備える。アーム部９０は、ポールＰ内の電線と接続させるリード線３０と係留器具１０のメインワイヤー１２とを内部に通す。そして、フランジ板９６は、固定ボックス６０の取付面６６に接合される板であり、係留器具１０のメインワイヤー１２や該リード線３０を通す四角形の開口部が中央に形成された形状となっている。
【００２８】
一方、図６、図７に示すように、ＬＥＤ照明器具１００が取り付けられるポールＰは、地中に埋設された電力線より分岐される電線をポールＰ内を通して上部のボックス６０に立ち上げ、引込配線をしたポールである。当該ポールＰの上部側面には、円状に開口した挿入口６５を取付面６６に形成した固定ボックス６０が設けられている。
なお、この実施形態では、挿入口６５の形状が円形であるが、実施の際は、挿入口６５の形状が方形でも構わない。
【００２９】
そして、係留器具１０は、直方体状の板部材１１と、リング形状の一方の端部１２１と他方の端部１２２とを有するメインワイヤー１２と、リング形状の一方の端部１３１と他方の端部１３２とを有するサブワイヤー１３と、開口部１４Ａ、１４Ｂが形成された連結金具１４とを備える。
【００３０】
板部材１１は、固定ボックス６０の取付面６６の挿入口６５に挿入する部材である。板部材１１の中央部には、第一の開口部１１Ａが形成され、板部材１１の端部には、第二の開口部１１Ｂが形成されている。板部材１１の材質は例えば鉄であり、酸化防止のため、板部材１１の表面に対してメッキ処理が施されている。また、板部材１１の長手方向の長さは、挿入口６５の径より大きい長さとなっており、板部材１１の短手方向の長さは、挿入口６５の径より小さい長さとなっている。
【００３１】
メインワイヤー１２の一方の端部１２１は、リング形状であり、板部材１１の第一の開口部１１Ａにはめられて板部材１１と連結されている。メインワイヤー１２の他方の端部１２２は、固定金具９５に連結される（図３、図５参照）。詳述すると、メインワイヤー１２の他方の端部１２２は、連結金具１４の開口部１４Ａにはめられて連結金具１４と連結し、その連結金具１４は、ＬＥＤ照明器具１００内部に備えられた固定金具９５に開口部１４Ｂでネジ止めされ、固定金具９５に連結される。
【００３２】
サブワイヤー１３の一方の端部１３１は、リング形状であり、板部材１１の端部に形成された第二の開口部１１Ｂにはめられて板部材１１と連結する。また、サブワイヤー１３の他方の端部１３２は、リング形状であり、メインワイヤー１２にはめられてメインワイヤー１２と連結し、メインワイヤー１２に対しスライド自在となっている。
【００３３】
メインワイヤー１２及びサブワイヤー１３の材質は、ステンレス鋼である。メインワイヤー１２は、ＬＥＤ照明器具１００と固定ボックス６０との接合部分が経年劣化などによってＬＥＤ照明器具１００と固定ボックス６０とが外れても、ＬＥＤ照明器具１００を吊るしてＬＥＤ照明器具１００が地面に落下するのを防ぐことの可能な高強度ワイヤーである。一方、サブワイヤー１３は、板部材１１の向きを変えるための低強度ワイヤーである。メインワイヤー１２の断面は、サブワイヤー１３の断面より広く、メインワイヤー１２の方がサブワイヤー１３より断面二次モーメントが大きい。即ち、サブワイヤー１３の方がメインワイヤー１２より曲がり易いワイヤーとなっている。
【００３４】
ここで、ＬＥＤ照明器具１００をポールＰに取り付ける第１の施工工事と、ＬＥＤ照明器具１００をポールＰから取り外す第２の施工工事とに分けて以下説明する。まず、第１の施工工事から説明する。
【００３５】
ＬＥＤ照明器具１００をポールＰに取り付ける第１の施工工事を行うとき、施工業者Ｃは、まず、係留器具１０のメインワイヤー１２の他方の端部１２２が連結金具１４を介して固定金具９５に連結されたＬＥＤ照明器具１００を用意する。次に、施工業者Ｃは、フランジ板９６が固定ボックス６０の取付面６６に対向する高さへＬＥＤ照明器具１００を持ち上げて、図６に示すように、板部材１１の長手方向を挿入口６５に対して垂直に向けた状態で板部材１１を矢印２０の方向へ移動させて挿入口６５に挿入する。そして、施工業者Ｃは、サブワイヤー１３を矢印２１の方向（挿入口６５から遠ざかる方向）へ引っ張り（図７参照）、板部材１１の面を固定ボックス６０の取付面６６の裏面に接触させる。これにより、ＬＥＤ照明器具１００は係留器具１０を介してポールＰに繋がれる。その後、施工業者Ｃは、ＬＥＤ照明器具１００を係留器具１０によりポールＰに係留した状態で、リード線３０を固定ボックス６０内の電線に接続する。最後に、施工業者Ｃは、フランジ板９６に設けられた４つのネジ穴９１、９２、９３、９４を固定ボックス６０の取付面６６に設けられた４つのネジ穴６１、６２、６３、６４に位置合わせして４箇所をネジ止めし、ＬＥＤ照明器具１００をポールＰに固定する。
【００３６】
以上のようにして施工業者Ｃは第１の施工工事を行う。そのため、この実施形態における係留器具１０を用いれば、施工業者Ｃは、ＬＥＤ照明器具１００を持ち上げて板部材１１を矢印２０の方向から挿入口６５に挿入し、サブワイヤー１３を矢印２１の方向へ引っ張るだけで済む。そのため、施工業者Ｃは、第１の施工工事において、ＬＥＤ照明器具１００を容易にポールＰに取り付けることができる。
【００３７】
また、板部材１１を挿入口６５に挿入する時は、挿入口６５の径より短い板部材１１の短手方向の辺を挿入口６５に向けて挿入し、板部材１１を挿入口６５に挿入した後は挿入口６５の径より長い板部材１１の長手方向の面を固定ボックス６０の取付面６６の裏面に接触させている。このため、係留器具１０は、板部材１１を挿入し易く、且つ板部材１１が挿入口６５から自然に外れ難い構成となっている。よって、施工業者Ｃは第１の施工工事においてＬＥＤ照明器具１００を容易にポールＰに取り付けることができ、且つＬＥＤ照明器具１００と固定ボックス６０との接合部分が経年劣化などによってＬＥＤ照明器具１００と固定ボックス６０とが外れても、ＬＥＤ照明器具１００が地面に落下するのを確実に防ぐことができる。
【００３８】
次に、ＬＥＤ照明器具１００をポールＰから取り外す第２の施工工事について説明する。
【００３９】
図８は、本発明の実施形態に係る係留器具をポールの固定ボックスから取り出す場面の様子を示す概念図であり、図９は、本発明の実施形態に係る係留器具の板部材の一方の端部をポールの固定ボックスから取り出した場面の様子を示す概念図である。
【００４０】
ＬＥＤ照明器具１００をポールＰから取り外す第２の施工工事を行うとき、施工業者Ｃは、まず、ＬＥＤ照明器具１００をポールＰに固定する上記４箇所のネジを外す。この結果、ＬＥＤ照明器具１００がポールＰの固定ボックス６０から外れ、ＬＥＤ照明器具１００を係留器具１０によりポールＰに係留した係留状態となる（図７参照）。施工業者Ｃは、この係留状態で、リード線３０と固定ボックス６０内の電線とをかい離させる。次に、図８に示すように、施工業者ＣはＬＥＤ照明器具１００を持ち上げた状態で、メインワイヤー１２を矢印２２の方向（挿入口６５に近づく方向）へ押す。続いて、施工業者Ｃは、サブワイヤー１３を矢印２４の方向（挿入口６５から遠ざかる方向）へ引っ張って板部材１１の長手方向を挿入口６５に対して垂直となるように矢印２３の方向へ倒す。そして、図９に示すように、施工業者Ｃは、板部材１１の長手方向を挿入口６５に対して垂直に向けた状態でＬＥＤ照明器具１００を矢印２５の方向（挿入口６５から遠ざかる方向）へ移動させて板部材１１を挿入口６５から取り出す。この結果、係留器具１０がポールＰから外れ、ＬＥＤ照明器具１００がポールＰから完全に外れる。
【００４１】
以上のようにして施工業者Ｃは第２の施工工事を行う。そのため、この実施形態における係留器具１０を用いれば、施工業者Ｃは、ＬＥＤ照明器具１００を持ち上げた状態でメインワイヤー１２を矢印２２の方向へ押し、サブワイヤー１３を矢印２４の方向へ引っ張ってＬＥＤ照明器具１００を矢印２５の方向へ移動させて板部材１１を挿入口６５から取り出すだけで済む。そのため、施工業者Ｃは、第２の施工工事において、ＬＥＤ照明器具１００を容易にポールＰから取り外すことができる。
【００４２】
また、この実施形態における係留器具１０では、板部材１１をメインワイヤー１２の一方の端部１２１に対して回転させることができ、且つ板部材１１の端部をサブワイヤー１３の一方の端部１３１に対して動かすことができる。さらに、サブワイヤー１３の他方の端部１３２をメインワイヤー１２に対して自在にスライドさせることができる。そのため、施工業者Ｃが板部材１１の向きを変え易い。従って、施工業者Ｃは、第１の施工工事においてＬＥＤ照明器具１００をポールＰに一層容易に取り付けることができるとともに、第２の施工工事においてＬＥＤ照明器具１００をポールＰから一層容易に取り外すことができる。
【００４３】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４４】
１０…係留器具
１１…板部材
１１Ａ…第一の開口部
１１Ｂ…第二の開口部
１２…メインワイヤー
１２１…一方の端部
１２２…他方の端部
１３…サブワイヤー
１３１…一方の端部
１３２…他方の端部
１４…連結金具
１４Ａ…開口部
１４Ｂ…開口部
３０…リード線
６０…固定ボックス
６１…ネジ穴
６５…挿入口
６６…取付面
９０…アーム部
９１…ネジ穴
９５…固定金具
９６…フランジ板
１００…ＬＥＤ照明器具
２００…係留器具
２０１…ワイヤー
２０２…Ｌ字状金具
２０３…固定金具
Ｃ…施工業者
Ｐ…ポール
【図１】
2011103254.tif 000003
【図２】
2011103254.tif 000004
【図３】
2011103254.tif 000005
【図４】
2011103254.tif 000006
【図５】
2011103254.tif 000007
【図６】
2011103254.tif 000008
【図７】
2011103254.tif 000009
【図８】
2011103254.tif 000010
【図９】
2011103254.tif 000011